(57)【要約】【課題】  左右（内外反）の制動により足関節の安定性を向上して、スポーツ時の着用者の動作を補助することができる足関節サポーターを提供する。【解決手段】  足関節サポーター１０は、脛骨２２の外側面に対応する部分から内踝２１ａに対応する部分を通り第１中足骨２５ａの外側面に対応する部分に沿って延在する第１の支持部３と、腓骨２３の外側面に対応する部分から外踝２１ｂに対応する部分を通り第５中足骨２５ｅの外側面に対応する部分に沿って延在する第２の支持部４と、を備え、第１の支持部３及び第２の支持部４は、筒状編地の長さ方向の伸縮抵抗が周方向Ｈの伸縮抵抗よりも大きい。【選択図】        図１
2012115526.tif 000002
【特許請求の範囲】
【請求項１】
丸編で編み立てられる筒状編地からなり、着用者の体表に密着して足関節を補助する足関節サポーターにおいて、
前記筒状編地の一端を周回して編成され、前記着用者の踝近傍の脛骨及び腓骨に対応する部分を周回し、当該着用者の下腿に当該筒状編地を締着させる第１のアンカー部と、
前記筒状編地の他端を周回して編成され、前記着用者の中足趾節関節近傍の第１中足骨、第２中足骨、第３中足骨、第４中足骨及び第５中足骨に対応する部分を周回し、当該着用者の足甲及び足裏に当該筒状編地を締着させる第２のアンカー部と、
前記第１のアンカー部に連結して、前記着用者の脛骨の外側面に対応する部分から、内踝に対応する部分を通り、前記第１中足骨の外側面に対応する部分に沿って、前記第２のアンカー部まで延在する第１の支持部と、
前記第１のアンカー部に連結して、前記着用者の腓骨の外側面に対応する部分から、外踝に対応する部分を通り、前記第５中足骨の外側面に対応する部分に沿って、前記第２のアンカー部まで延在する第２の支持部と、
を備え、
前記第１の支持部及び第２の支持部は、前記筒状編地の長さ方向の伸縮抵抗が前記筒状編地の周方向の伸縮抵抗よりも大きいことを特徴とする足関節サポーター。
【請求項２】
前記請求項１に記載の足関節サポーターにおいて、
前記第１のアンカー部、第２のアンカー部、第１の支持部及び第２の支持部に包囲される編地のうち足甲側の編地である正面部を備え、
前記筒状編地の長さ方向における前記第１の支持部及び第２の支持部の伸縮抵抗が、前記筒状編地の長さ方向における前記正面部の伸縮抵抗より大きいことを特徴とする足関節サポーター。
【請求項３】
前記請求項２に記載の足関節サポーターにおいて、
前記着用者の踵に対応する踵部と、
前記第２のアンカー部、第１の支持部、第２の支持部及び踵部に包囲される編地からなる足底部と、
を備え、
前記足底部は、前記筒状編地の長さ方向の伸縮抵抗が前記筒状編地の周方向の伸縮抵抗よりも大きく、
前記筒状編地の長さ方向における前記足底部の伸縮抵抗が、前記筒状編地の長さ方向における前記正面部の伸縮抵抗より大きいことを特徴とする足関節サポーター。
【請求項４】
前記請求項２に記載の足関節サポーターにおいて、
前記第１のアンカー部及び踝部に連結し、前記着用者のアキレス腱に対応するアキレス腱部と、
前記第１のアンカー部、第１の支持部、踵部及びアキレス腱部に包囲される編地、並びに、第１のアンカー部、第２の支持部、踵部及びアキレス腱部に包囲される編地からなる第３の支持部と、
を備え、
前記アキレス腱部及び第３の支持部は、前記筒状編地の長さ方向の伸縮抵抗が前記筒状編地の周方向の伸縮抵抗よりも大きく、
前記筒状編地の長さ方向における前記第３の支持部の伸縮抵抗が、前記筒状編地の長さ方向における前記正面部の伸縮抵抗より大きく、
前記筒状編地の長さ方向における前記アキレス腱部の伸縮抵抗が、前記筒状編地の長さ方向における前記第１の支持部、第２の支持部及び第３の支持部の伸縮抵抗より小さいことを特徴とする足関節サポーター。
【発明の詳細な説明】
【技術分野】
【０００１】
この発明は、着用者の体表に密着して足関節を補助する足関節サポーターに関し、特に、着用者の足関節の安定性を向上して、スポーツ時の着用者の動作を補助し、疲労を軽減することができるテーピング機能を具備する足関節サポーターに関するものである。
【背景技術】
【０００２】
従来のねんざ抑制ソックスは、ふくらはぎ中央、くるぶし上、足の甲の付け根、足指の付け根をリング状に覆う強力なサポート力を持つ部分を地編み部分に一体に織り込み、ふくらはぎ中央、くるぶし上、足の甲の付け根、足指の付け根を通り、内外ふくらはぎを縦断する部分に樹脂などの膜を付着させ非伸縮性部分を作り出す（例えば、特許文献１参照）。
【０００３】
また、従来の靴下は、靴下の足底部の趾球後方の位置から土踏まず部と踵部の境界を含む位置にかけてウェール方向に締付力を高めた第１締付部を設け、趾球後方の位置においてコース方向に締付力を高めた第２締付部を周設するとともに、足首部にコース方向に締付力を高めた第３締付部を周設し、さらに、土踏まず部と踵部の境界を含む位置から足甲部の付け根の位置にかけてコース方向に締付力を高めた第４締付部を周設した構成とする（例えば、特許文献２参照）。
【先行技術文献】
【特許文献】
【０００４】
【特許文献１】特開２００１−３５５１０１号公報
【特許文献２】特開２００１−３５５１０１号公報
【発明の概要】
【発明が解決しようとする課題】
【０００５】
従来のねんざ抑制ソックスは、くるぶし上及び足の甲の付け根のリング状の部分が強力なサポート力を持つ生地であるため、足関節の背屈（伸展）を制限することになり、スポーツ時の着用者の動作に支障をきたすという課題がある。
【０００６】
また、従来の靴下は、拇趾側の側面における編地と第五趾側の側面における編地とが非対称であり、特に、締付部による内踝を覆う領域の面積と外踝を覆う領域の面積とが異なるため、内踝及び外踝を両側から支持する強さが異なり、足首の左右の振れを抑制することができないという課題がある。
【０００７】
この発明は、上述のような課題を解決するためになされたもので、着用者の足関節の安定性を向上して、スポーツ（特に、バスケットボール）時の着用者の動作を補助することができる足関節サポーターを提供することを目的とする。
【課題を解決するための手段】
【０００８】
この発明に係る足関節サポーターにおいては、筒状編地の一端を周回して編成され、着用者の踝近傍の脛骨及び腓骨に対応する部分を周回し、当該着用者の下腿に当該筒状編地を締着させる第１のアンカー部と、筒状編地の他端を周回して編成され、着用者の中足趾節関節近傍の第１中足骨、第２中足骨、第３中足骨、第４中足骨及び第５中足骨に対応する部分を周回し、当該着用者の足甲及び足裏に当該筒状編地を締着させる第２のアンカー
部と、第１のアンカー部に連結して、着用者の脛骨の外側面に対応する部分から、内踝に対応する部分を通り、第１中足骨の外側面に対応する部分に沿って、第２のアンカー部まで延在する第１の支持部と、第１のアンカー部に連結して、着用者の腓骨の外側面に対応する部分から、外踝に対応する部分を通り、第５中足骨の外側面に対応する部分に沿って、第２のアンカー部まで延在する第２の支持部と、を備え、第１の支持部及び第２の支持部は、筒状編地の長さ方向の伸縮抵抗が筒状編地の周方向の伸縮抵抗よりも大きいものである。
【発明の効果】
【０００９】
この発明に係る足関節サポーターにおいては、第１の支持部及び第２の支持部が着用者の外踝及び内踝並びに中足骨を足の両側面から挟持すると共に、第１のアンカー部及び第２のアンカー部が第１の支持部及び第２の支持部の位置ずれを防止することにより、第１の支持部及び第２の支持部が、足首の左右の振れを抑制し、着用者の足関節の安定性を向上すると共に、足関節の内反捻挫及び外反捻挫を予防することができる。
【図面の簡単な説明】
【００１０】
【図１】（ａ）は第１の実施形態に係る足関節サポーターの概略構成を示す正面図であり、（ｂ）は図１（ａ）に示す足関節サポーターの背面図であり、（ｃ）は図１（ａ）に示す足関節サポーターの左側面図であり、（ｄ）は図１（ａ）に示す足関節サポーターの右側面図であり、（ｅ）は図１（ａ）に示す足関節サポーターの平面図であり、（ｆ）は図１（ａ）に示す足関節サポーターの底面図である。
【図２】（ａ）は図１に示す足関節サポーターの見方を変えた正面図であり、（ｂ）は図２（ａ）に示す足関節サポーターの背面図であり、（ｃ）は図２（ａ）に示す足関節サポーターの左側面図であり、（ｄ）は図２（ａ）に示す足関節サポーターの右側面図であり、（ｅ）は図２（ａ）に示す足関節サポーターの平面図であり、（ｆ）は図２（ａ）に示す足関節サポーターの底面図である。
【図３】（ａ）は図１及び図２に示す足関節サポーターを左足に着用した状態を示す左側後方からみた斜視図であり、（ｂ）は図１及び図２に示す足関節サポーターを左足に着用した状態を示す正面図であり、（ｃ）は下腿及び足の骨並びに足の関節を説明するための説明図であり、（ｄ）は図１及び図２に示す第３の支持部及び第４の支持部の作用効果を説明するための説明図である。
【発明を実施するための形態】
【００１１】
（本発明の第１の実施形態）
図１乃至図３において、足関節サポーター１０は、靴下編機（例えば、株式会社村田製作所製の編み機種「ラムダアンフィニー（針数：１４４本、シリンダー径：３  １／２インチ、１インチ間の針の本数：３６ゲージ）」）により丸編で編み立てられる筒状編地からなり、着用者２０の体表に密着して着用者２０の足関節を補助するサポーターである。
【００１２】
足関節サポーター１０は、表糸、裏糸及びゴム糸を編糸とし、平編、リブ編、タック編、浮き編又はパイル編などで編成されてなる伸縮性のある編地であるベース生地に対して、異なる編み立てを施すことで、テーピング機能などの所望の機能性を具備する。
【００１３】
また、足関節サポーター１０は、大別すると、第１のアンカー部１と、第２のアンカー部２と、第１の支持部３と、第２の支持部４と、正面部５と、踵部６と、アキレス腱部７と、第３の支持部８と、足底部９と、を備える。
【００１４】
第１のアンカー部１は、足関節サポーター１０の筒状編地の一端（上端１０ａ）を周回して編成され、着用者２０の踝２１近傍の脛骨２２及び腓骨２３に対応する部分を周回し、着用者２０の下腿に足関節サポーター１０を締着させる編地である。
【００１５】
また、第２のアンカー部２は、足関節サポーター１０の筒状編地の他端（下端１０ｂ）を周回して編成され、着用者２０の中足趾節関節２４近傍の第１中足骨２５ａ、第２中足骨２５ｂ、第３中足骨２５ｃ、第４中足骨２５ｄ及び第５中足骨２５ｅに対応する部分を周回し、着用者２０の足甲及び足裏に足関節サポーター１０を締着させる編地である。
【００１６】
この第１のアンカー部１及び第２のアンカー部２は、足関節サポーター１０の周方向Ｈにおける伸縮抵抗が、足関節サポーター１０の周方向Ｈにおける足部１１（靴下の爪先を除く足部に相当）及び身部１２（靴下の身部に相当）の伸縮抵抗より大きく編成されている。すなわち、素材に伸長を与えない状態から一定の伸長を与えた場合の張力をＦとして、足関節サポーター１０の周方向Ｈにおける足部１１の張力をＦH11とし、足関節サポーター１０の周方向Ｈにおける身部１２の張力をＦH12とし、足関節サポーター１０の周方向Ｈにおける第１のアンカー部１の張力をＦH1とし、足関節サポーター１０の周方向Ｈにおける第２のアンカー部２の張力をＦH2とした場合に、第１のアンカー部１及び第２のアンカー部２が足部１１及び身部１２と比較して、足関節サポーター１０の周方向Ｈに強い締付力を持つような、ＦH1＝ＦH2＞ＦH11、ＦH1＝ＦH2＞ＦH12という大小関係を有する。
【００１７】
具体的な編地として、第１のアンカー部１は、リブ編により編成してなる編地（以下、リブ編地と称す）を、足関節サポーター１０の上端１０ａで足関節サポーター１０の内側に折り返して身部１２との境界で他の糸（例えば、ウーリーナイロン糸）で縫製した二重のリブ編地（以下、二重リブ編地と称す）にすることにより、後述する編地の足部１１及び身部１２に対して、足関節サポーター１０の周方向Ｈにおける伸縮抵抗を大きくすることができる。また、第２のアンカー部２は、足関節サポーター１０の下端１０ｂで足関節サポーター１０の内側にリブ編地を折り返して足部１１との境界で他の糸（例えば、ウーリーナイロン糸）で縫製した二重のリブ編地（二重リブ編地）にすることにより、後述する編地の足部１１及び身部１２に対して、足関節サポーター１０の周方向Ｈにおける伸縮抵抗を大きくすることができる。
【００１８】
ここで、リブ編地とは、たて方向に表目のウェールと裏目のウェールとが交互に並ぶ編み目で、本実施形態においては、３ウェール毎に表目と裏目とを配列した３×１の編地である。
【００１９】
このように、第１のアンカー部１は、着用者２０の下腿を周回して編成され、足関節サポーター１０の周方向Ｈにおける伸縮抵抗が、足関節サポーター１０の周方向Ｈにおける足部１１及び身部１２の伸縮抵抗より大きいことにより、着用者２０の下腿に足関節サポーター１０を固定し、足関節の背屈時における足関節サポーター１０の上端１０ａのずり下がりを抑制することができる。また、第１のアンカー部１は、第１の支持部３及び第２の支持部４が連結され、この第１の支持部３及び第２の支持部４のアンカーとしても機能する。
【００２０】
また、第２のアンカー部２は、着用者２０の足甲及び足裏を周回して編成され、足関節サポーター１０の周方向Ｈにおける伸縮抵抗が、足関節サポーター１０の周方向Ｈにおける足部１１及び身部１２の伸縮抵抗より大きいことにより、着用者２０の足甲及び足裏に足関節サポーター１０を固定し、足関節の背屈時における足関節サポーター１０の下端１０ｂのずり上がりを抑制することができる。また、第２のアンカー部２は、第１の支持部３及び第２の支持部４が連結され、この第１の支持部３及び第２の支持部４のアンカーとしても機能する。
【００２１】
第１の支持部３は、第１のアンカー部１に連結して、着用者２０の脛骨２２の外側面に対応する部分から、内踝２１ａに対応する部分を通り、第１中足骨２５ａの外側面に対応する部分に沿って、第２のアンカー部２まで延在する編地である。
【００２２】
第２の支持部４は、第１のアンカー部１に連結して、着用者２０の腓骨２３の外側面に対応する部分から、外踝２１ｂに対応する部分を通り、第５中足骨２５ｅの外側面に対応する部分に沿って、第２のアンカー部２まで延在する編地である。
【００２３】
また、第１の支持部３及び第２の支持部４は、着用者２０の下腿側における第１のアンカー部１で係止されており、着用者２０の爪先側における第２のアンカー部２で係止されている。
【００２４】
この第１の支持部３及び第２の支持部４は、足関節サポーター１０の長さ方向Ｌにおける伸縮抵抗が、足関節サポーター１０の周方向Ｈにおける伸縮抵抗より大きく編成されている。すなわち、足関節サポーター１０の長さ方向Ｌにおける第１の支持部３の張力をＦL3とし、足関節サポーター１０の周方向Ｈにおける第１の支持部３の張力をＦH3とした場合に、足関節サポーター１０の長さ方向Ｌに強い締付力を持つような、ＦL3＞ＦH3という大小関係を有する。また、足関節サポーター１０の長さ方向Ｌにおける第２の支持部４の張力をＦL4とし、足関節サポーター１０の周方向Ｈにおける第２の支持部４の張力をＦH4とした場合に、足関節サポーター１０の長さ方向Ｌに強い締付力を持つような、ＦL4＞ＦH4という大小関係を有する。
【００２５】
また、第１の支持部３及び第２の支持部４は、足関節サポーター１０の長さ方向Ｌにおける伸縮抵抗が、足関節サポーター１０の長さ方向Ｌにおける正面部５の伸縮抵抗より大きく編成されている。すなわち、足関節サポーター１０の長さ方向Ｌにおける正面部５の張力をＦL5とした場合に、第１の支持部３及び第２の支持部４が正面部５と比較して、足関節サポーター１０の長さ方向Ｌに強い締付力を持つような、ＦL3＝ＦL4＞ＦL5という大小関係を有する。
具体的には、第１の支持部３及び第２の支持部４を、１×１のタック編と添え糸編とを併用した編地（以下、タック編・添え糸編地と称す）としている。
【００２６】
ここで、タック編地とは、生地を編成するときに、一時ある編み目を作らないで、次のコースを編むときに一緒に編み目を作る編地である。なお、本実施形態においては、添え糸編による編地模様が明瞭に表れるように、第１の支持部３及び第２の支持部４の編地としてタックする回数を１回としているが、所望の伸縮抵抗の違いが得られるのであれば、この回数に限られるものではなく、例えば、後述する第３の支持部８及び第４の支持部９ｂのタック数と同じにしてもよい。
【００２７】
また、タック編・添え糸編地では、タック編の地編糸である表糸を飛ばして（表糸の替わりに）他の編糸（例えば、ウーリーナイロン糸）を添えて給糸することで、足関節サポーター１０の長さ方向Ｌにおける第１の支持部３及び第２の支持部４の伸縮を適度に抑えている。すなわち、タック編・添え糸編地では、足関節サポーター１０の長さ方向Ｌの伸びが周方向Ｈの伸びと比較して小さく編成されている。また、タック編・添え糸編地では、第１の支持部３及び第２の支持部４と他の領域（正面部５、第３の支持部８、足底部９）との境界において他の編糸をカットしている（カットボス）。
【００２８】
このように、第１の支持部３及び第２の支持部４をタック編・添え糸編地とすることにより、コース方向の伸びを無くし、後述する編地の正面部５に対して、足関節サポーター１０の長さ方向Ｌにおける伸縮抵抗を大きくすることができる。このため、第１の支持部
３及び第２の支持部４は、着用者２０の内踝２１ａ及び外踝２１ｂ並びに中足骨２５（第１中足骨２５ａ、第２中足骨２５ｂ、第３中足骨２５ｃ、第４中足骨２５ｄ、第５中足骨２５ｅ）を両側面から支持し、足首の左右の振れを抑制して、足関節の内反捻挫及び外反捻挫を予防することができると共に、足関節の背屈を制限することなく、スポーツ時の着用者２０の動作を補助することができる。
【００２９】
正面部５は、第１のアンカー部１、第２のアンカー部２、第１の支持部３及び第２の支持部４に包囲される編地のうち足甲側の編地であり、本実施形態においては、平編により編成してなる編地（以下、平編地と称す）であるベース生地部５ａと、後述する補助部５ｂ及び薄編部５ｃとからなる。
【００３０】
補助部５ｂは、足関節サポーター１０の屈曲部分（着用者２０の足首の正面側）近傍に、リブ編により編成してなる編地（リブ編地）である。この補助部５ｂは、正面部５が平編地のベース生地部５ａでは、足関節サポーター１０の周方向Ｈにおける足部１１の締付力が十分に得られず、後述する土踏まず部９ａの作用を十分に発揮させることができない恐れがある。このため、補助部５ｂは、平編地と比較して足関節サポーター１０の周方向Ｈに強い締付力を有し、足関節の背屈を制限しない程度の締付力を有する編地であるリブ編地としている。
【００３１】
なお、足関節サポーター１０の屈曲部分においては、補助部５ｂがリブ編地であっても、円滑に屈曲せずに、しわが発生すると共に、足関節の背屈を制限する恐れがある。このため、足関節サポーター１０の屈曲部分におけるしわを逃し、足関節の背屈の動きを阻害しないように、足関節サポーター１０の正面側における足部１１と身部１２との境界近傍では、足関節サポーター１０の周方向Ｈに延在する領域であり、補助部５ｂにおける編地の厚みに対して、厚みを薄くした編地である薄編部５ｃが編成される。
【００３２】
なお、図１乃至図３においては、４つの薄編部５ｃを長さ方向Ｌに並設した場合を示しているが、足関節サポーター１０の屈曲部分におけるしわの発生防止や足関節の背屈を制限しないようにできるのであれば、この数に限られるものではない。
【００３３】
また、本実施形態に係る薄編部５ｃは、通気性のよい編組織であるメッシュ編で編成された編地（以下、メッシュ編地と称す）にすることにより、リブ編地の補助部５ｂに対して、足関節サポーター１０の長さ方向Ｌにおける伸縮抵抗を小さくすることができる。このメッシュ編地とは、生地を編成するときに、一時ある編み目を作らないで、次のコースを編むときに一緒に編み目を作り、メッシュ形態の編みでよく伸びる編地である。
【００３４】
特に、薄編部５ｃは、足関節サポーター１０の長さ方向Ｌにおける補助部５ｂの張力をＦL5bとし、足関節サポーター１０の長さ方向Ｌにおける薄編部５ｃの張力をＦL5cとした場合に、薄編部５ｃが補助部５ｂと比較して、足関節サポーター１０の長さ方向Ｌに弱い締付力を持つような、ＦL5b＞ＦL5cという大小関係を有する。
【００３５】
踵部６は、着用者２０の踵に対応するかかと成形部分であり、平編により編成してなる編地（平編地）である。
【００３６】
アキレス腱部７は、第１のアンカー部１及び踵部６に連結し、着用者２０のアキレス腱に対応する編地である。
【００３７】
このアキレス腱部７は、足関節サポーター１０の長さ方向Ｌにおける第１の支持部３及び第２の支持部４の伸縮抵抗より小さく編成されている。すなわち、足関節サポーター１０の長さ方向Ｌにおけるアキレス腱部７の張力をＦL7とした場合に、アキレス腱部７が第
１の支持部３及び第２の支持部４と比較して、足関節サポーター１０の長さ方向Ｌに弱い締付力を持つような、ＦL3＝ＦL4＞ＦL7という大小関係を有する。
具体的には、アキレス腱部７を、リブ編により編成してなる編地（リブ編地）としている。
【００３８】
このように、アキレス腱部７をリブ編地とすることにより、リブ編地の畝（凹凸）が着用者２０のアキレス腱に対応する部分のクッション性を高め、着用者２０のアキレス腱を保護することができる。
【００３９】
第３の支持部８は、第１のアンカー部１、第１の支持部３、踵部６及びアキレス腱部７に包囲される編地、並びに、第１のアンカー部１、第２の支持部４、踵部６及びアキレス腱部７に包囲される編地からなる。
【００４０】
この第３の支持部８は、足関節サポーター１０の長さ方向Ｌにおける伸縮抵抗が、足関節サポーター１０の周方向Ｈにおける伸縮抵抗より大きく編成されている。すなわち、足関節サポーター１０の長さ方向Ｌにおける第３の支持部８の張力をＦL8とし、足関節サポーター１０の周方向Ｈにおける第３の支持部８の張力をＦH8とした場合に、足関節サポーター１０の長さ方向Ｌに強い締付力を持つような、ＦL8＞ＦH8という大小関係を有する。
【００４１】
また、第３の支持部８は、足関節サポーター１０の長さ方向Ｌにおける伸縮抵抗が、足関節サポーター１０の長さ方向Ｌにおける第１の支持部３及び第２の支持部４の伸縮抵抗より大きく編成されている。すなわち、第３の支持部８が第１の支持部３及び第２の支持部４と比較して、足関節サポーター１０の長さ方向Ｌに強い締付力を持つような、ＦL8＞ＦL3＝ＦL4という大小関係を有する。
具体的には、第３の支持部８を、２×２のタック編により編成してなる編地（以下、２タック編地と称す）としている。
【００４２】
なお、本実施形態においては、度目とのバランスを考慮して、第３の支持部８の編地としてタックする回数を２回としているが、所望の伸縮抵抗の違いが得られるのであれば、この回数に限られるものではない。
【００４３】
このように、第３の支持部８を２タック編地とすることにより、コース方向の伸びを無くし、平編地（リブ編地、メッシュ編地）の正面部５並びにタック編・添え糸編地の第１の支持部３及び第２の支持部４に対して、足関節サポーター１０の長さ方向Ｌにおける伸縮抵抗を大きくすることができる。このため、第３の支持部８は、着用者２０の内踝２１ａ及び外踝２１ｂを背面から支持し、第１の支持部３及び第２の支持部４と一体として、図３（ｄ）に示すように、第１の支持部３及び第２の支持部４の捩れを防止し、足首の左右の振れを抑制することができる。
【００４４】
足底部９は、着用者２０の足裏に対応する足底であり、第２のアンカー部２、第１の支持部３、第２の支持部４及び踵部６に包囲される編地である。なお、本実施形態に係る足底部９は、着用者２０の足の土踏まずに対応する土踏まず部９ａと、土踏まず部９ａを除く足底における編地である第４の支持部９ｂとからなる。
【００４５】
土踏まず部９ａは、平編をなす地編糸に他の編糸（ウーリーナイロン糸）を添えて給糸し、地編糸を表面に、ウーリーナイロン糸を裏面に現すように地編糸とともにウーリーナイロン糸を編み込んだ編地（以下、平編・パイル風クッション編地と称す）であり、ウーリーナイロンを波型に交互に編み上げている。
【００４６】
この土踏まず部９ａは、着用者２０の土踏まずを横切るアーチの形成をサポートし、足
底のクッション性を高め、安定した走りを行ないやすくすると共に、ジャンプ着地動作における衝撃を吸収して、荷重を分散させるスプリングとしての役割を果すことができる。また、土踏まず部９ａは、波型に交互に編み上げて、地編糸の平編部分から隆起して形成されることから、着用者２０の土踏まず部分の凹部を確実に当接支持し、着用感を向上させると共に、足の疲れを未然に防止することができる。特に、土踏まず部９ａは、着用者２０の足底筋膜に強い緊張が生じることを防止して、炎症（足底筋膜炎）の発生を抑制することができる。
【００４７】
第４の支持部９ｂは、第３の支持部８と同様に、２タック編地であり、着用者２０の中足骨２５を足裏から支持し、第１の支持部３、第２の支持部４及び第３の支持部８と一体として、図３（ｄ）に示すように、第１の支持部３及び第２の支持部４の捩れを防止し、足首の左右の振れを抑制することができる。
【００４８】
なお、本実施形態においては、平編、タック編、リブ編及びメッシュ編に用いられる地編糸として、糸の番手が３０／１であり、編み本数が２本からなり、綿５０％及びポリエステル５０％の表糸と、糸の番手が３０／７５であり、ポリウレタン弾性糸（ポリウレタン９％）を軸に長繊維（ポリエステル９１％）をカバーリングした加工糸（ＦＴＹ：Filament Twisted Yarn）である裏糸と、ポリウレタン７６％の芯糸にポリエステル２４％の巻き糸を巻きつけたカバーリング・ヤーン（例えば、オペロンテックス株式会社製「ＳＴ６７００」）であるゴム糸とを用いているが、この材質に限られるものではない。
【００４９】
例えば、表糸としては、綿、毛(カシミヤ、ラム、アンゴラなど)、絹若しくは麻などの天然繊維、アクリルなどの化学繊維、又は吸汗、速乾若しくは体温調整機能を持つ素材などを、足関節サポーター１０のコスト又は着用者２０のニーズに合わせて選択することが好ましい。また、裏糸としては、エステル若しくはカバーリング・ヤーン（ＤＣＹ：double covered yarn）、又は抗菌、防臭若しくは消臭素材を、足関節サポーター１０のコスト又は着用者２０のニーズに合わせて選択することが好ましい。
【００５０】
また、二重リブ編地（第１のアンカー部１、第２のアンカー部２）、タック編・添え糸編地（第１の支持部３、第２の支持部４）及び平編・パイル風クッション編地（土踏まず部９ａ）におけるウーリーナイロン糸（柄糸）は、糸の番手が１００／２であり、ウーリーナイロンのフェラメント数が２４Ｆであるナイロン１００％の編糸を用いているが、この材質に限られるものではない。
【００５１】
以上のように、足関節サポーター１０は、左右（内外反）の制動により足関節の安定性を向上して、スポーツ（特に、バスケットボール）時の着用者２０の動作を補助することができるという作用効果を奏する。
【符号の説明】
【００５２】
１      第１のアンカー部
２      第２のアンカー部
３      第１の支持部
４      第２の支持部
５      正面部
５ａ    ベース生地部
５ｂ    補助部
５ｃ    薄編部
６      踵部
７      第３の支持部
７      アキレス腱部
８      第３の支持部
９      足底部
９ａ    部
９ｂ    第４の支持部
１０    足関節サポーター
１０ａ  上端
１０ｂ  下端
１１    足部
１２    身部
２０    着用者
２１    踝
２１ａ  内踝
２１ｂ  外踝
２２    脛骨
２３    腓骨
２４    中足趾節関節
２５    中足骨
２５ａ  第１中足骨
２５ｂ  第２中足骨
２５ｃ  第３中足骨
２５ｄ  第４中足骨
２５ｅ  第５中足骨
Ｈ      周方向
Ｌ      長さ方向
【図１】
2012115526.tif 000003
【図２】
2012115526.tif 000004
【図３】
2012115526.tif 000005